(57)【要約】      （修正有）【課題】乗りかご内の照明を制御することで、無駄な電力消費を抑え、省エネ効果の高いエレベータを実現する。【解決手段】採光部５を有するエレベータ乗りかご室１と、このエレベータ乗りかご室１内に設けられた照明器具７と、前記エレベータ乗りかご室１内の床３又は操作盤周辺に設置された照度測定器具８と、タイマー機能を備え、前記エレベータ乗りかご室１を一定時間利用しない場合、前記照明器具７を自動的に休止する照明器具駆動回路１２と、を備えたエレベータであって、前記タイマー機能により照明器具７が休止した場合、前記照度測定器具８によってエレベータ乗りかご室内の照度を測定し、一定の照度が確保できる場合には前記照明器具を点灯させない。【選択図】図１
2013049552.tif 000002
【特許請求の範囲】
【請求項１】
採光部を有するエレベータ乗りかご室と、
このエレベータ乗りかご室内に設けられた照明器具と、
前記エレベータ乗りかご室内の床又は操作盤周辺に設置された照度測定器具と、
タイマー機能を備え、前記エレベータ乗りかご室を一定時間利用しない場合、前記照明器具を自動的に休止する照明器具駆動回路と、を備えたエレベータであって、
前記タイマー機能により照明器具が休止した場合、前記照度測定器具によってエレベータ乗りかご室内の照度を測定し、一定の照度が確保できる場合には前記照明器具を点灯させないことを特徴とするエレベータのかご内照明装置。
【請求項２】
前記照明器具駆動回路は、前記照度測定器具が前記エレベータ乗りかご室内の照度を一定時間連続して計測し、照度が不足した場合、前記照明器具を点灯させることを特徴とする請求項１のエレベータのかご内照明装置。
【請求項３】
前記照度測定器具が利用者の影の影響をうけず光を測定できる場所に設置されたことを特徴とする請求項１または請求項２のエレベータのかご内照明装置。
【請求項４】
複数の前記照度測定器具と複数の前記照明器具とを接続する調光装置を備え、前記調光装置は前記照度測定器具で測定した照度に対応して前記照明器具を調節することを特徴とする請求項１乃至請求項３のいずれかに記載のエレベータのかご内照明装置。
【請求項５】
前記照度計測と前記照明器具を前記調光装置で接続した系統が複数備えられていることを特徴とする請求項１乃至請求項４のいずれかに記載のエレベータのかご内照明装置。
【請求項６】
前記照明器具の制御状態と、その省エネ効果を利用者へ知らせる表示灯を設置することを特徴とする請求項1乃至5のいずれかに記載のエレベータのかご内照明装置。
【発明の詳細な説明】
【技術分野】
【０００１】
本発明は、エレベータのかご内照明装置に関する。
【背景技術】
【０００２】
従来、一定時間エレベータを利用しない場合、乗りかごの照明器具をタイマーにより自動的に消灯する照明装置は知られていた。また、エレベータに設けられた光センサによって乗りかご室内の照度を計測し、その結果に応じて室内の照度を調整する照明装置も知られていた。(特許文献１)
【先行技術文献】
【特許文献】
【０００３】
【特許文献１】特開2001-19315号公報
【発明の概要】
【発明が解決しようとする課題】
【０００４】
従来のエレベータのかご内照明装置においては、前述のように、一定時間エレベータを利用しない場合、乗りかごの照明器具をタイマーにより自動的に消灯するが、エレベータを利用しているときは照明装置を常に点灯していた。このため、エレベータの利用時においては、乗りかごの照明を点灯する必要がない場合でも無条件に点灯していたため、不必要な電力を消費する結果となっていた。
【０００５】
したがって本発明は、エレベータの利用時においても省エネルギーを実現し得るエレベータのかご内照明装置を提供することを目的とするものである。
【図面の簡単な説明】
【０００６】
【図１】本発明の第一の実施形態におけるエレベータ乗りかごの斜視図。
【図２】本発明の第一の実施形態における制御回路を示すブロック図。
【図３】本発明の第一の実施形態における照明器具点灯条件を示すグラフ。
【図４】本発明の第二の実施形態におけるエレベータ乗りかごの一部縦断面図。
【図５】本発明の第二の実施形態におけるエレベータ乗りかごの一部縦断面図。
【図６】本発明の第二の実施形態における照明器具点灯条件を示すグラフ。
【図７】本発明の第三の実施形態における制御回路を示すブロック図。
【図８】本発明の第四の実施形態における制御回路を示すブロック図。
【図９】本発明の第一の実施形態におけるエレベータホールを示す図。
【発明を実施するための形態】
【０００７】
本発明の実施形態について、図面を用いて説明する。
【０００８】
図１は、第一の実施形態のエレベータ乗りかご１を示す。乗りかご１は、天井２と、床３と、出入口戸４と、一部または全体に外光を取り込むための採光部５を設けた乗りかご壁６とで構成されている。乗りかご１内には照明器具７と、照度測定器具８、操作盤９、表示灯１０を備えている。この照度測定器具８は、照明器具７及び採光部５からの外光を測定できる位置、例えば床３や操作盤９周辺などに設置される。
【０００９】
図２は、本実施形態の照明装置における制御回路を示すブロック図である。エレベータ制御装置１１は、操作盤９からの指示信号によりエレベータの運転を制御する制御装置である。照明器具駆動回路１２は、エレベータ制御装置１１と照度測定器具８の各出力信号が供給され、これらの出力信号を用いて照明器具７のオンオフ駆動する信号を出力する回路である。照明器具駆動回路１２は図示しないがタイマーを備え、後述するように、所定の照度が所定時間継続する場合に、自動で照明器具７を点灯あるいは消灯する駆動信号を照明器具７に供給する。
【００１０】
図３は、本実施形態における照明器具７の点灯条件を示すグラフである。同図（Ａ）は、照度測定器具８による測定結果である照度を表し、同図（Ｂ）はエレベータ制御装置１１が把握しているエレベータ利用状態を表し、同図（Ｃ）は照明器具駆動回路１２の駆動信号であり、照度とエレベータ利用状態の条件に対応した照明器具７の点灯状態を表す。
【００１１】
次に上記のように構成された本実施形態におけるエレベータのかご内照明装置の動作を説明する。照度測定器具８は、エレベータの利用時は常に照度を計測する。照明器具駆動回路１２はタイマー機能を備え、照度計測器具８の計測した照度が一定時間連続して不足した場合、照明器具７の点灯が必要と判断する。すなわち、図３（Ａ）のA１で示すように、照度が確保され、かつ、図３（Ｂ）に示すように、エレベータの利用時間内にある場合には、図３（Ｃ）に示すように、照明器具駆動回路１２から消灯信号が発生し、照明器具７は消灯状態を維持する。次に、図３（Ａ）のA２で示すように、照度不足である時間がタイマーの設定時間Ｔｏより短い場合は、図３（Ｂ）に示すように、エレベータの利用時間内にある場合でも、図３（Ｃ）に示すように、照明器具駆動回路１２からは消灯を指示する信号が継続し、照明器具７は消灯状態を維持する。他方、図３（Ａ）のA３で示すように、照度不足である時間がタイマーの設定時間Ｔｏより長い場合で、かつ、図３（Ｂ）に示すように、エレベータの利用時間内にある場合には、図３（Ｃ）に示すように、照明器具駆動回路１２の出力は消灯信号からは点灯信号に変わり、照明器具７は点灯する。
【００１２】
従って照度計測器具８が利用者の影など一時的な測定結果の変化に影響されず、乗りかご１内の照度を一定に保つことができ、不要な電力消費を低減させることができる。
【００１３】
図４、図５は第二の実施形態のエレベータ乗りかご１の一部である、照度測定器具が設置される採光部を示す縦断面図である。本実施形態における照度測定器具８は、採光部５からの外光を測定できる位置のうち、利用者の影の影響をうけることが少ない位置に設置される。例えば、図４に示すように乗りかご壁６と採光部５の境目の窓枠内側や、図５に示すような乗りかご壁６と採光部５の境目の窓枠外側に設置する。
【００１４】
これにより、利用者の影の影響をうけず乗りかご１の利用時でも常に正確な照度計測が可能となる。本実施形態では、エレベータが一定時間利用されなかった場合、自動で照明器具７を消灯する。自動消灯後、エレベータの運転が再開される際、乗りかご１内に利用者がいない状態で照度を計測し、採光部５からの光で十分な照度が確保されているか判断する。十分な照度が確保されている場合には照明器具７は点灯させず、照度が不足している場合には照明器具７を点灯させ運転を再開する。
【００１５】
図６は本実施形態における照明器具７の点灯条件を示すグラフである。同図（Ａ）は、照度測定器具８による測定結果である照度を表し、同図（Ｂ）はエレベータ制御装置１１が把握しているエレベータ利用状態を表し、同図（Ｃ）は照明器具駆動回路１２の駆動信号であり、照度とエレベータ利用状態の条件に対応した照明器具７の点灯状態を表す。
【００１６】
照明器具駆動回路１２は前述したように、タイマー機能を備え、照度計測器具８の計測した照度が一定時間連続して不足し、かつエレベータが利用状態の場合、照明器具７を点灯させる。つまり、図６（Ａ）のA２で示すように、照度不足が断続的で、タイマー設定時間Ｔｏよりも短い場合、照明器具７は点灯させない。
【００１７】
照明器具駆動回路１２は、照明器具７の点灯中十分な照度を測定した場合、直ちに照明器具７を消灯することができる。つまり、採光部５からの外光によって照度が確保され次第照明は消灯する。
【００１８】
本実施形態によれば、利用者の影など一時的な測定結果の変化に影響されず、採光部５からの光による照度を正確に測定することができる。従って、乗りかご１内の照度を一定に保つことができ、不要な照明の点灯を防ぎ電力消費を低減することができる。
【００１９】
図７は第三の実施形態における制御回路を示すブロック図である。本実施形態では、調光装置１３が設けられ、この調光装置１３の入力側にエレベータ制御装置１１と複数の照度測定器具８の各出力信号が供給される。これらの出力信号を用いて複数の照明器具７の照度制御あるいはオンオフ駆動する信号を出力する回路である。すなわちこの調光装置１３は、複数個所の照度測定結果に応じて照明器具７を調節し、乗りかご１内の照度を一定に保つことができる。
【００２０】
図８は第四の実施形態における制御回路を示すブロック図である。本実施形態では、
各照明測定器具８に対して一つの調光装置１３および１つの照明器具７を設けこれをひとつの系統とする。この系統を複数設け、各々の調光装置１３には共通のエレベータ制御装置１１から出力信号が供給される。調光装置１３には、エレベータ制御装置１１と照度測定器具８の各出力信号が供給され、これらの出力信号を用いて照明器具７の照度制御あるいはオンオフ駆動信号を出力する。照明器具７は、対応する照度測定器具８の測定箇所を照射できる位置に設置する。
【００２１】
本実施形態では、測定箇所ごとの照度を照明器具７の点灯に反映させることができる。
【００２２】
従って、乗りかご１内の照度を一定に保ちながら不要な電力消費を低減させることができる。
【００２３】
図９は本発明の第五の実施形態におけるエレベータホールを示す図である。エレベータ乗りかご１室内の表示灯１０だけでなく、エレベータホールの操作盤９付近に設けた表示灯１０に省エネ効果と乗りかご１内照明の制御状態を表示する。これにより、利用者に省エネ機能をPRすることができる。
【符号の説明】
【００２４】
１  乗りかご
２  天井
３  床
４  出入口戸
５  採光部
６  乗りかご壁
７  照明器具
８  照度計測器具
９  操作盤
１０  表示灯
１１  エレベータ制御装置
１２  照明器具駆動回路
１３  調光装置
【図１】
2013049552.tif 000003
【図２】
2013049552.tif 000004
【図３】
2013049552.tif 000005
【図４】
2013049552.tif 000006
【図５】
2013049552.tif 000007
【図６】
2013049552.tif 000008
【図７】
2013049552.tif 000009
【図８】
2013049552.tif 000010
【図９】
2013049552.tif 000011